(57)【要約】【課題】効率良くコンテンツを編集することができるコンテンツ編集装置を提供することである。【解決手段】コンテンツ編集装置は、通信手段と、表示手段と、入力手段と、編集手段とを備える。前記通信手段は、コンテンツ処理装置と通信する。前記表示手段は、前記コンテンツ処理装置で管理されたコンテンツの編集情報を編集するための編集画面を表示する。前記入力手段は、前記編集画面に対して入力編集情報を入力する。前記編集手段は、前記通信手段を介して前記コンテンツ処理装置で管理された前記コンテンツの前記編集情報を受信し、前記編集情報に基づき前記編集画面を生成し、前記入力手段を介して前記編集情報に反映するための前記入力編集情報を受け取り、前記通信手段を介して前記入力編集情報を前記コンテンツ処理装置へ送信する。【選択図】図１
2014011618.tif 000002
【特許請求の範囲】
【請求項１】
コンテンツ処理装置と通信する通信手段と、
前記コンテンツ処理装置で管理されたコンテンツの編集情報を編集するための編集画面を表示する表示手段と、
前記編集画面に対して入力編集情報を入力する入力手段と、
前記通信手段を介して前記コンテンツ処理装置で管理された前記コンテンツの前記編集情報を受信し、前記編集情報に基づき前記編集画面を生成し、前記入力手段を介して前記編集情報に反映するための前記入力編集情報を受け取り、前記通信手段を介して前記入力編集情報を前記コンテンツ処理装置へ送信する編集手段と、
を備えるコンテンツ編集装置。
【請求項２】
前記編集手段は、前記コンテンツのタイトル名を含む前記入力編集情報を前記コンテンツ処理装置へ送信する請求項１のコンテンツ編集装置。
【請求項３】
前記編集手段は、前記コンテンツのチャプター名を含む前記入力編集情報を前記コンテンツ処理装置へ送信する請求項１又は２のコンテンツ編集装置。
【請求項４】
前記編集手段は、前記コンテンツの追加チャプターの区切りを示す時間情報を含む前記入力編集情報を送信する請求項１乃至３の何れか１つのコンテンツ編集装置。
【請求項５】
前記編集手段は、前記コンテンツのサムネイルの位置を示す時間情報を含む前記入力編集情報を送信する請求項１乃至４の何れか１つのコンテンツ編集装置。
【請求項６】
前記編集手段は、前記通信手段を介してサーバから前記コンテンツに対応するタグリストを受信し、前記タグリストの中から選択された選択タグを含む前記入力編集情報を送信する請求項１乃至５の何れか１つのコンテンツ編集装置。
【請求項７】
コンテンツ編集装置と通信する通信手段と、
コンテンツの編集情報に基づき前記コンテンツを処理するコンテンツ処理手段と、
前記通信手段を介して前記コンテンツ編集装置に対して前記編集情報を送信し、前記コンテンツ編集装置で入力された入力編集情報を受信し、前記入力編集情報を前記編集情報へ反映する編集情報処理手段と、
を備えたコンテンツ処理装置。
【請求項８】
コンテンツ処理装置により管理されたコンテンツの編集情報を受信する手順と、
前記編集情報に基づき編集画面を生成する手順と、
前記編集画面を介して前記編集情報に反映するための入力編集情報を受け取る手順と、
前記入力編集情報を前記コンテンツ処理装置へ送信する手順と、
をコンピュータに実行させるためのコンテンツ編集プログラム。
【請求項９】
コンテンツ処理装置により管理されたコンテンツの編集情報を受信し、
前記編集情報に基づき編集画面を生成し、
前記編集画面を介して前記編集情報に反映するための入力編集情報を受け取り、
前記入力編集情報を前記コンテンツ処理装置へ送信するコンテンツ編集方法。
【発明の詳細な説明】
【技術分野】
【０００１】
本発明の実施形態は、コンテンツ編集装置、コンテンツ処理装置、コンテンツ編集プログラム、及びコンテンツ編集方法に関する。
【背景技術】
【０００２】
デジタル放送を受信し、デジタル放送により提供されるコンテンツを記録するデジタルレコーダが広く普及している。例えば、デジタルレコーダは、前記コンテンツを編集する機能を備える。ユーザは、デジタルレコーダにより出力される編集画面を介して、コンテンツのタイトル名を変更したり、コンテンツのチャプターに対してチャプター名を設定したり、コンテンツに対してチャプターを追加し、さらに追加チャプターに対してチャプター名を設定したりすることができる。デジタルレコーダは、編集画面を介して入力された入力編集情報を含む編集情報を、コンテンツに対応付けて記録する。
【先行技術文献】
【特許文献】
【０００３】
【特許文献１】特開２０１０−８１１４７号公報
【発明の概要】
【発明が解決しようとする課題】
【０００４】
デジタルレコーダのユーザインターフェースは、主にリモートコントローラであり、文字入力等を不得意としていることがある。そのため、ユーザは、デジタルレコーダによりチャプター名等を入力する場合、ストレスを感じることがある。
【０００５】
本発明の目的は、効率良くコンテンツを編集することができるコンテンツ編集装置、コンテンツ編集プログラム、及びコンテンツ編集方法を提供することである。また、本発明の目的は、編集結果を反映することができるコンテンツ処理装置を提供することである。
【課題を解決するための手段】
【０００６】
実施形態のコンテンツ編集装置は、通信手段と、表示手段と、入力手段と、編集手段とを備える。前記通信手段は、コンテンツ処理装置と通信する。前記表示手段は、前記コンテンツ処理装置で管理されたコンテンツの編集情報を編集するための編集画面を表示する。前記入力手段は、前記編集画面に対して入力編集情報を入力する。前記編集手段は、前記通信手段を介して前記コンテンツ処理装置で管理された前記コンテンツの前記編集情報を受信し、前記編集情報に基づき前記編集画面を生成し、前記入力手段を介して前記編集情報に反映するための前記入力編集情報を受け取り、前記通信手段を介して前記入力編集情報を前記コンテンツ処理装置へ送信する。
【図面の簡単な説明】
【０００７】
【図１】実施形態に係るコンテンツ処理システムの一例を示す図である。
【図２】実施形態に係るコンテンツ処理システムを構成するコンテンツ編集装置及びコンテンツ蓄積装置（コンテンツ処理装置）の概略構成を示す図である。
【図３】実施形態に係るコンテンツの編集情報の編集処理の一例について説明する。
【図４】実施形態に係るコンテンツの編集情報の編集画面の一例を示す図である。
【図５】実施形態に係るコンテンツの編集情報の編集画面の一例を示す図である。
【図６】実施形態に係るタグ情報を利用した編集情報の編集処理の一例の概要を示す図である。
【図７】実施形態に係るコンテンツの編集情報の編集パラメータの一例を示す図である。
【発明を実施するための形態】
【０００８】
以下、実施形態について図面を参照して説明する。
【０００９】
図１は、実施形態に係るコンテンツ処理システムの一例を示す図である。図２は、コンテンツ処理システムを構成するコンテンツ編集装置及びコンテンツ蓄積装置（コンテンツ処理装置）の概略構成を示す図である。
【００１０】
コンテンツ編集装置１は、例えば、携帯端末である。携帯端末としては、例えば、スマートフォン、スレート端末、タブレットＰＣがある。コンテンツ編集装置１の概略構成は図２に示す通りであり、コンテンツ編集装置１は、制御部１１、記憶部１２、通信部１３、表示部１４、入力部１５、情報処理部１６を備える。
【００１１】
制御部１１は、各部の動作を制御し、実質的に、後述するコンテンツの編集情報の取得、編集、反映等の各種処理を実行する。なお、コンテンツの編集情報とは、コンテンツの管理情報（コンテンツＩＤ、タイトル名、チャプター名など）及び再生制御情報（本編の開始位置情報、終了位置情報、チャプターの開始位置情報、終了位置情報）等を含む情報である。記憶部１２は、後述する編集アプリケーションを記憶したり、取得した編集情報を記憶したり、入力される入力編集情報を記憶したりする。通信部１３は、無線通信によりルータ３に対して情報を送信し、また、ルータ３からの情報を受信する。例えば、通信部１３は、ルータ３を介して、コンテンツ蓄積装置２から提供される編集情報を受信したり、ルータ３を介して外部サーバから提供される編集アプリケーションを受信したりする。表示部１４は、編集情報に基づき生成された編集画面を表示し、また、表示部１４に対応付けられた入力部（タッチパネル）１５は、ユーザからの入力編集情報を受け取る。情報処理部１６は、例えば、上記した編集画面を生成する。
【００１２】
コンテンツ蓄積装置２は、例えば、デジタルレコーダ又はデジタルＴＶである。本実施形態では、コンテンツ蓄積装置２が、デジタルレコーダである場合について説明する。コンテンツ蓄積装置２の概略構成は図２に示す通りであり、コンテンツ蓄積装置２は、制御部２１、記憶部２２、通信部２３、出力部２４、入力部２５、情報処理部２６、受信部２７を備える。
【００１３】
入力部（受光部）２５は、リモートコントローラ２５Ｒからの信号を受光し、制御部２１は、リモートコントローラ２５Ｒからの信号に基づき、各部の動作を制御する。例えば、制御部２１は、コンテンツの再生（編集情報に基づくコンテンツの再生）を制御したり、コンテンツの記録及びコンテンツの編集情報の記録を制御したりする。通信部２３は、無線通信によりルータ３に対して情報を送信し、また、ルータ３からの情報を受信する。受信部２７は、例えばチューナーを含み、デジタル放送（コンテンツ）を受信する。コンテンツ蓄積装置２がデジタルレコーダであれば、例えば、受信コンテンツは、記憶部２２に記録される。或いは、受信コンテンツは、入出力部２４を介して外部接続された外部記憶装置５へ記録される。或いは、受信コンテンツの再生映像等は、入出力部２４を介して外部接続されたデジタルＴＶ４等へ出力される。なお、コンテンツ蓄積装置２がデジタルＴＶであってもよく、その場合、コンテンツ蓄積装置２が、受信コンテンツの再生映像を表示する。
【００１４】
例えば、宅内または施設内において、ユーザに所持されるコンテンツ編集装置１は、ルータ３を介して、無線ネットワーク上のコンテンツ蓄積装置２と接続することができる。また、外出先において、ユーザに所持されるコンテンツ編集装置１は、外部の無線ネットワーク及びルータ３を介して、コンテンツ蓄積装置２と接続することもできる。従って、本実施形態で説明するコンテンツ編集装置１とコンテンツ蓄積装置２との通信を利用したコンテンツの編集処理は、宅内または施設内だけでなく、外出先でも実現できる。
【００１５】
コンテンツ編集装置１は、コンテンツ蓄積装置２と通信し、コンテンツ蓄積装置２からコンテンツの編集情報（オリジナル編集情報）を受信し、制御部１１及び情報処理部１６は、記憶部１２に記憶されたコンテンツ編集アプリケーション（コンテンツ編集プログラム）により、オリジナル編集情報を編集するための編集画面を生成し、表示部１４は、この編集画面を表示する。ユーザは、編集画面に表示されたオリジナル編集情報を確認し、入力部１５を介して、オリジナル編集情報の修正、変更、削除等を入力したり、新規の編集情報を入力したりする。入力部１５及び情報処理部１６は、入力された情報（以下、入力編集情報）を受け取り、通信部１３は、コンテンツ蓄積装置２に対して入力編集情報を送信する。コンテンツ蓄積装置２は、入力編集情報を受信し、受信した入力編集情報をオリジナル編集情報へ反映する。その結果、コンテンツ蓄積装置２は、コンテンツ編集装置１が作成した入力編集情報が反映された編集情報に基づき、コンテンツを再生することができる。
【００１６】
以下、図３を参照して、実施形態に係るコンテンツの編集処理の一例について説明する。
【００１７】
ユーザは、コンテンツ編集装置１の表示部１４を介して、コンテンツ編集アプリケーションの起動を指示する。これに対応して、コンテンツ編集装置１の制御部１１は、記憶部１２に記憶されたコンテンツ編集アプリケーションを起動する。
【００１８】
コンテンツ編集装置１の制御部１１及び通信部１３は、コンテンツ編集アプリケーションに従い、ネットワーク上のコンテンツ編集アプリケーションに対応可能な機器を検索する(ＳＴ１１)。コンテンツ蓄積装置２の通信部２３は、コンテンツ編集装置１からの機器能力要求を受信し、機器能力情報を返信する(ＳＴ２１)。例えば、機器能力情報は、コンテンツ編集アプリケーションに対応していることを示す情報を含む。
【００１９】
続いて、コンテンツ編集装置１の制御部１１及び通信部１３は、コンテンツ編集アプリケーションに従い、コンテンツリスト取得要求（CDS:Browse）を送信し(ＳＴ１２)、コンテンツ蓄積装置２の通信部２３は、コンテンツ編集装置１からのコンテンツリスト取得要求を受信し、コンテンツリストを返信する(ＳＴ２２)。
【００２０】
コンテンツ編集装置１の通信部１３は、コンテンツリストを受信し、コンテンツ編集装置１の制御部１１は、コンテンツ編集アプリケーションに従い、コンテンツリストを含むコンテンツ編集画面を生成し、表示部１４は、コンテンツリストを含むコンテンツ編集画面を表示する。つまり、コンテンツ編集装置１は、コンテンツ蓄積装置２で表示されるコンテンツリストと実質的に同じコンテンツリストを表示することができる。ユーザは、入力部１５を介して、コンテンツ編集画面上のコンテンツリストから、編集したいコンテンツを指定（選択）することができる。
【００２１】
編集したいコンテンツの指定に対応して、コンテンツ編集装置１の通信部１３は、指定コンテンツの編集情報取得要求を送信し(ＳＴ１３)、コンテンツ蓄積装置２の通信部２３は、コンテンツ編集装置１からの指定コンテンツの編集情報取得要求を受信し、指定コンテンツの編集情報（オリジナル編集情報）を返信する(ＳＴ２３)。例えば、指定コンテンツのオリジナル編集情報は、指定コンテンツの識別情報（ＩＤ）、指定コンテンツのタイトル名、指定コンテンツの開始時間、指定コンテンツの終了時間、チャプター名、チャプター位置（開始時間情報と終了時間情報で指定されるチャプターの区切り）、サムネイル位置などの情報を含む。
【００２２】
コンテンツ編集装置１の通信部１３は、指定コンテンツのオリジナル編集情報を受信し、コンテンツ編集装置１の制御部１１は、コンテンツ編集アプリケーションに従い、指定コンテンツのオリジナル編集情報を含むコンテンツ編集画面を生成し、表示部１４は、指定コンテンツのオリジナル編集情報を含むコンテンツ編集画面を表示する。ユーザは、表示部１４に表示されたオリジナル編集情報を確認し、入力部１５を介して、オリジナル編集情報の修正、変更、削除等を入力したり、新規の編集情報を入力したりすることができる。制御部１１は、入力された情報（以下、入力編集情報）を受け取る。このようにして、ユーザは、指定コンテンツのオリジナル編集情報の内容を編集することができる。例えば、ユーザは、表示部１４に表示された編集画面を介して、指定コンテンツの任意の位置にチャプターを追加したり、不要なチャプターを削除したり、サムネイル位置を新規に設定したり、サムネイル位置を変更したりできる。また、図４に示すように、表示部１４に表示された編集画面を介して、チャプター名を入力したり、変更したり、タイトル名を入力したり、変更したりすることができる。例えば、編集画面はキーボード画像を含み、キーボード画像と入力部１５（例えばタッチパネル）との組み合わせで、キーボード画像を介して文字等を入力することができる。
【００２３】
例えば、コンテンツ編集装置１は、コンテンツ蓄積装置２から、指定コンテンツのストリーム配信（動画、静止画、オーディオデータ）を受け取らなくても、上記の通り、指定コンテンツのオリジナル編集情報の内容を編集することができる。コンテンツ蓄積装置２が、指定コンテンツのストリームを配信する場合、コンテンツ蓄積装置２に負荷がかかる。例えば、コンテンツ蓄積装置２が、コンテンツを再生している、コンテンツを記録している場合には、コンテンツ蓄積装置２の性能によっては、ストリーム配信が難しい場合がある。つまり、コンテンツ蓄積装置２の動作状況によっては、コンテンツ編集装置１は、コンテンツのストリームを受信することができない場合もある。このような状況でも、コンテンツ編集装置１は、指定コンテンツのストリーム配信を必須とせず、オリジナル編集情報を受信するだけで、オリジナル編集情報の編集を可能とすることができる。
【００２４】
なお、必要であれば、ユーザは、コンテンツ編集画面を介して指定コンテンツを要求することができる。これに対応して、コンテンツ編集装置１の通信部１３は、指定コンテンツのストリーム配信要求を送信し(ＳＴ１４)、コンテンツ蓄積装置２の通信部２３は、コンテンツ編集装置１からの指定コンテンツのストリーム配信要求を受信し、指定コンテンツのストリーム配信を開始する(ＳＴ２４)。例えば、コンテンツ編集装置１とコンテンツ蓄積装置２とがローカルネットワークで接続されている環境であれば、コンテンツ蓄積装置２は、コンテンツ編集装置１に対して、既存のDMS配信機能を用いて指定コンテンツを配信することができる。
【００２５】
コンテンツ編集装置１の通信部１３は、指定コンテンツのストリーム配信を受信し、コンテンツ編集装置１の制御部１１は、コンテンツ編集アプリケーションに従い、指定コンテンツのストリーム配信に基づきコンテンツ編集画面を生成し、表示部１４は、指定コンテンツの映像等を含むコンテンツ編集画面を表示する。図５に示すように、ユーザは、表示部１４に表示されたコンテンツ編集画面を介して、指定コンテンツの映像等を見ながら、オリジナル編集情報の内容を編集することができる。
【００２６】
コンテンツ編集装置１の制御部１１は、編集画面を介して入力編集情報を受け取り、さらに編集反映の指示を受け取ると、通信部１３は、指定コンテンツのオリジナル編集情報に入力編集情報を反映させるための編集情報反映要求を送信する(ＳＴ１５)。コンテンツ蓄積装置２の通信部２３は、編集情報反映要求を受信し、編集情報反映要求に含まれた入力編集情報をオリジナル編集情報へ反映する。つまり、コンテンツ蓄積装置２は、入力編集情報に基づき、指定コンテンツの管理情報やストリーム情報を更新する。これにより、コンテンツ蓄積装置２は、入力編集情報が反映された編集情報に基づき、指定コンテンツを再生することができる。例えば、コンテンツ蓄積装置２は、指定コンテンツを再生するとき、変更されたタイトル名を表示したり、追加されたチャプター単位で指定コンテンツを再生したりすることができる。同様に、コンテンツ編集装置１も、入力編集情報が反映された編集情報に基づき、指定コンテンツを再生することができる。この場合、コンテンツ編集装置１が、受け取ったオリジナル編集情報へ入力編集情報を反映し、入力編集情報が反映された編集情報に基づき、指定コンテンツを再生する。或いは、コンテンツ編集装置１は、コンテンツ蓄積装置２から、入力編集情報が反映された編集情報を受け取り、受け取った、入力編集情報が反映された編集情報に基づき、指定コンテンツを再生する。
【００２７】
また、コンテンツ編集装置１の編集画面上のタグリスト取得キー（図５参照）を介して、指定コンテンツのタグリストを取得し、取得したタグリストを入力編集情報としてオリジナル編集情報へ反映することもできる。ここで、タグリストについて補足する。
【００２８】
図６に示すように、コンテンツ蓄積装置２ａ、２ｂ、２ｃは、コンテンツの編集情報（例えばタグ情報）をサーバ６へ送信する。例えば、コンテンツ蓄積装置２ａのユーザは、コンテンツ蓄積装置２ａを介して、コンテンツ蓄積装置２ａにより蓄積されたコンテンツＡの気に入った所定シーンにタグを付けることができ、このタグが指定されると所定シーンを抜き出して再生することができる。コンテンツ蓄積装置２ａは、コンテンツＡの所定シーンを示すタグ情報（コンテンツＡのＩＤ、所定シーンの開始位置情報、終了位置情報等を含む）を、サーバ６へ送信する。このようにして、サーバ６は、複数のコンテンツ蓄積装置２ａ、２ｂ、２ｃからコンテンツの編集情報（複数のユーザにより生成されたタグ情報）を集めて、タグリストを生成する。
【００２９】
コンテンツ編集装置１が、サーバ６に対して、指定コンテンツのタグリストを要求すると、サーバ６は、蓄積されている指定コンテンツのタグリストを返信する。コンテンツ編集装置１は、このタグリストを取得し、取得したタグリストを表示する。ユーザは、表示されたタグリストの中から、所望タグを選択すると、この選択タグを入力編集情報として追加する。コンテンツ編集装置１の制御部１１は、編集画面を介して入力編集情報（例えば選択タグ）を受け取り、通信部１３は、指定コンテンツのオリジナル編集情報に入力編集情報を反映させるための反映要求を送信する。コンテンツ蓄積装置２の通信部２３は、入力編集情報を受信し、受信した入力編集情報をオリジナル編集情報へ反映する。これにより、コンテンツ蓄積装置２は、入力編集情報が反映された編集情報に基づき、指定コンテンツを再生することができる。つまり、コンテンツ蓄積装置２は、選択タグに対応するシーンを指定して再生することができる。例えば、タグリストを利用した編集は、オリジナル編集情報の情報量が乏しいときに有効である。
【００３０】
なお、上記した編集情報取得要求及び編集情報反映要求は、例えば、DLNA（Digital Living Network Alliance）で用いられるUPnPプロトコルで送受信することができ、CDS:Browseで取得したURIに加えて、図７に示す編集パラメータを伝送することにより、指定コンテンツの特定と編集情報の送受信を実現することができる。編集パラメータは、コンテンツＩＤ、サムネイルの位置情報、チャプターの開始位置情報と終了位置情報などを含む。例えば、コンテンツのストリームは、時間情報（Presentation Time Stamp）で管理されており、この時間情報を使って、サムネイルの位置情報、チャプターの開始位置情報と終了位置情報が示される。例えば、追加されたチャプターの開始位置は、コンテンツのスタートから５分２１秒１５フレーム目、追加されたチャプターの終了位置は、コンテンツのスタートから５分４０秒００フレーム目となる。コンテンツのＩＤと時間情報とで目的位置を指定することにより、目的コンテンツの目的位置を確実に特定することができる。
【００３１】
なお、DLNAで用いられるUPnPプロトコル以外のプロトコル（例えば独自プロトコル）で、編集情報取得要求及び編集情報反映要求を送受信するようにしてもよい。また、コンテンツ編集装置１は、独自アクションとして、コンテンツ蓄積装置２がコンテンツ編集アプリケーションに対応しているかどうかを確認するようにしてもよい。また、編集情報の記述も図７に限定されるものではなく、より詳細な編集情報を採用するようにしてもよい。また、本実施形態では、コンテンツ蓄積装置２の一例としてデジタルレコーダ及びデジタルＴＶを挙げたが、これら以外の装置であってもよい。さらに、本実施形態では、コンテンツ編集装置１とコンテンツ蓄積装置２との１対１の通信のケースを例に挙げて説明したが、編集時の配信映像をデジタルＴＶなどの別のデバイスに表示させ、３−ＢＯＸシステムとして実現することも可能である。
【００３２】
なお、上記の編集処理の手順は全てソフトウェア（コンテンツ編集プログラム）によって実行することが可能である。このため、編集処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００３３】
例えば、コンテンツ編集装置１は、コンピュータ読み取り可能な記憶媒体から上記プログラムを読み取り、記憶部１１に読み取ったプログラムを記憶し、プログラムのインストールを完了することができる。或いは、コンテンツ編集装置１が、上記プログラムをダウンロードし、記憶部１１にダウンロードしたプログラムを記憶し、プログラムのインストールを完了することができる。
【００３４】
以下、本実施形態についてまとめる。
【００３５】
コンテンツ編集装置１は、コンテンツ編集アプリケーションを起動し、コンテンツ編集画面を表示する。ユーザは、コンテンツ編集画面を介して、コンテンツ蓄積装置２のタイトルを選択し、編集情報取得アクションを実行すると、これに対応して、コンテンツ編集装置１は、指定タイトルのオリジナル編集情報（タイトル名、チャプター名、チャプター位置、サムネイル位置）を取得し、オリジナル編集情報を含むコンテンツ編集画面を表示する。ユーザは、コンテンツ編集画面を介して、オリジナル編集情報を自由に編集することができる（編集情報を入力することができる）。例えば、ユーザは、コンテンツ編集画面を介して、タイトル名変更、チャプター名変更、チャプター位置変更、サムネイル位置変更、プレイリスト作成などの編集を行うことができる。編集情報反映アクションが実行されると、これに対応して、コンテンツ編集装置１は、入力編集情報をオリジナル編集情報へ反映するように指示する。
【００３６】
これにより、コンテンツ編集装置１上でオリジナル編集情報を編集することができるため、コンテンツ蓄積装置２に負荷をかけずにチャプター名などの文字入力やチャプター位置の設定などを素早く行うことができる。
【００３７】
また、コンテンツ編集装置１とコンテンツ蓄積装置２は、例えばＬＡＮを使ったネットワークで接続されているため、赤外線が届かないような場所からでも編集を行うことができる。さらに屋外からアクセスして電車の中などでもコンテンツ編集装置１によりオリジナル編集情報を編集することができる。
【００３８】
さらに、コンテンツ編集装置１でオリジナル編集情報の編集中に、コンテンツ蓄積装置２の画面出力を占有しないので、コンテンツ編集装置１でオリジナル編集情報を編集しながら、コンテンツ蓄積装置２で指定コンテンツ又は別コンテンツを再生したり、別コンテンツを記録したりすることができる。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１…コンテンツ編集装置、１１…制御部、１２…記憶部、１３…通信部、１４…表示部、１５…入力部、１６…情報処理部、２…コンテンツ蓄積装置、２１…制御部、２２…記憶部、２３…通信部、２４…出力部、２５…入力部、２６…情報処理部、２７…コンテンツ受信部
【図１】
2014011618.tif 000003
【図２】
2014011618.tif 000004
【図３】
2014011618.tif 000005
【図４】
2014011618.tif 000006
【図５】
2014011618.tif 000007
【図６】
2014011618.tif 000008
【図７】
2014011618.tif 000009